(57)【特許請求の範囲】
【請求項１】
背面板に対向してカセット挿入用の開口部を有する収納ケースが、表側面板、背面板及び裏側面板を折曲線で区画連設され、かつ各面板の両端に折曲線でフラップを連設して表側面板フラップ、背面板フラップ、裏側面板フラップとする型抜きシートからなる組立凾形であり、前記開口部端縁から前記背面板に至る前記表裏側面板の長さを収納物品より短くし、かつ該開口部端縁を該収納物品の外形Ｒ形状より内側に位置させるとともに、前記背面板と前記裏側面板の各面板に連設されるフラップとの型抜き交点を前記背面板と前記裏側面板との折曲線上で内方に喰い込んだ位置とし、かつ前記背面板と前記表側面板との各面板に連設されるフラップとの型抜き交点を、前記背面板と前記表側面板との折曲線と平行で該表側面板内に位置するフラップ端縁上としたことを特徴とするカセットまたはカートリッジ用収納ケース。
【発明の詳細な説明】
【０００１】
【発明の属する技術分野】
本発明は、ビデオテープやオーディオテープなどのテープ状記録媒体を内装したテープカセットやテープカートリッジ或いはディスク状記録媒体を内装したディスクカートリッジを収納、運搬並びに保管のために用いられるカセットまたはカートリッジ用収納ケースに関するものである。
【０００２】
【従来の技術】
従来のカセット収納ケースでは、型抜きシートの組立凾形或いはブロー成形、射出成形などで直方体または立方体に形成されている。即ち、収納ケースを効率良く作るために図４に示す如く一枚のシートを打ち抜き、折曲線ａを筋押しし内容物に沿った各面ｂを形成して、この各面を筋押し線より折り曲げ接合することにより一方に開口部ｃを持った組立凾形の収納ケースｄとし、ＶＨＳ規格のビデオテープカセットの収納ケースとして既に利用されていて、シートは通常押出し、射出、ブロー、プレス、真空成形されたプラスチック材料（主としてポリプロピレン、塩化ビニール、ポリエチレン、ポリエステル）と紙製（カードボード）のものが利用されている。また、射出成形、ブロー成形等で直方形の収納ケースとすることもあるが、いずれも収納物品を保護する目的で内容物とほぼ同じか、それ以上の大きさに収納ケースが製作されている。
【０００３】
そして、従来の収納ケースはこれを更に商品価値を上げるためにフィルム包装を行う。このフィルム包装は一枚の包装フィルムで品物を包み重なった部分をヒートシールし、更にシュリンクトンネルを通し、フィルムを収縮させてシワ、タルミを取って成形される。収縮した包装フィルムは内容物と同形状となり非常にきれいであり、更に包装フィルムには各種の印刷が施され、内容物とは異なったデザインを施すことで更に商品価値、購買意欲を高めるものであると共に、この包装フィルムは複数の品物を集積する役目も持っており、例えばそれが二重包装される場合もあって収納ケースは包装状態で流通し取扱われている。
【０００４】
【発明が解決しようとする課題】
ところが、収納ケースの包装状態は収縮により包装フィルムははち切れんばかりの状態で流通されるので、荷捌き等の衝撃や段積み時の振動により包装フィルムが破れることがある。殊に、包装フィルムは一般にポリプロピレンを基材としたものを使用していて、更に精度の高い印刷を行うためと包装後に収縮させるために弱延伸したものを使用しており、引き裂きには非常に弱い性質を持っているので、包装フィルムの破れ現象が多い不具合があった。包装フィルムの破れの直接原因は、流通時の衝撃や振動であるが、更には収納ケースや品物の角部が尖っているほど破れ易く、収納ケースの開口部については角部を丸くしても背部についてはケースの各辺が集中する折曲部或いは角部であることから尖った状態は改善されないために破れ現象発生があって問題であった。
本発明は、これら従来の欠点を排除しようとするもので、フィルム包装したカセット収納ケースにフィルムの接触する角部となる部分が除かれフィルム包装した後の流通段階での衝撃、振動などによるフィルム破れ現象が解消され、安全に取扱い得ると共に、収納ケースとして手触り感触もソフトで指などを傷つけることがない収納ケースを構成簡単で安価な状態で提供することを目的としたものである。
【０００５】
【課題を解決するための手段】
本発明は、背面板に対向してカセット挿入用の開口部を有する収納ケースが、表側面板、背面板及び裏側面板を折曲線で区画連設され、かつ各面板の両端に折曲線でフラップを連設して表側面板フラップ、背面板フラップ、裏側面板フラップとする型抜きシートからなる組立凾形であり、前記開口部端縁から前記背面板に至る前記表裏側面板の長さを収納物品より短くし、かつ該開口部端縁を該収納物品の外形Ｒ形状より内側に位置させるとともに、前記背面板と前記裏側面板の各面板に連設されるフラップとの型抜き交点を前記背面板と前記裏側面板との折曲線上で内方に喰い込んだ位置とし、かつ前記背面板と前記表側面板との各面板に連設されるフラップとの型抜き交点を、前記背面板と前記表側面板との折曲線と平行で該表側面板内に位置するフラップ端縁上としたものである。
【０００６】
【発明の実施の形態】
本発明の例を一枚のシートを折曲線で折り曲げて組立凾形としたスリーブケースで説明すると、背面板２に対向してカセット挿入用の開口部１２を有する収納ケースが、表側面板１、背面板２及び裏側面板３を折曲線４，５で区画連設され、かつ各面板１，２，３の両端に折曲線６，７，８で表側面板フラップ９、背面板フラップ１０、裏側面板フラップ１１を連設して両側面板とする型抜きシートからなる組立凾形の直方体或いは立方体であって、前記開口部１２から背面板２に至る前記表裏側面板１，３の長さをテープカセットＡより短くすることで、収納したテープカセットＡが開口部１２から若干飛び出した露出状態で収納され、テープカセットＡの丸みを持った角部がそのまま利用でき包装フィルムの破れ現象が容易に防止できる。
また、収納ケースの開口部がその両端縁をテープカセットの外形Ｒ形状より内方側に位置することでも包装フィルムの防止に役立つと共に、各フラップ９，１０，１１を折り曲げて両側面板が形作られるが、裏側面板３と背面板２とフラップ１０，１１とで形成される型抜き交点１５、即ちＶ字溝の交点をフラップ１０，１１を折曲げる折曲線７，８より深く形成すると、各面板を折り曲げた後の角部となる部分が除かれ、包装フィルムの破れ現象が起きにくい形となる。
さらに同様に表側面板１と背面板２とフラップ９，１０とで形成される型抜き交点１６を前記表側面板１と背面板２との折曲線４と平行で表側面板１内に位置するフラップ端縁９１  上に設けたことで、各フラップ９，１０，１１を折り曲げた後の角部となる部分が除かれるように作用し、フラップと背面板の角部は段階的に接触することで丸味を持った内容物と同様の形状となり、包装フィルムの破損を容易に防止して取扱うことが可能となる。
【０００７】
【実施例】
本発明の実施例を図１乃至図３の組立凾形収納ケース例にて説明すると、表側面板１，背面板２、表側面板３、両側面板となる表側面板フラップ９，背面板フラップ１０，裏側面板フラップ１１からなり、背面板１に対向してカセット挿入用の開口部１２を有する直方体または立方体の収納ケースであって、前記開口部１２から背面板２に至る前記表裏側面板１，３の長さを収納物品のテープカセットＡより短くしてカセットまたはカートリッジ用収納ケースとしてある。
【０００８】
この収納ケースの前記開口部１２は、その両端縁を収納物品であるテープカセットＡの外形Ｒ形状より内方側に位置してあり、収納ケースの角部の尖りが軽減され包装フィルムの破れ現象が解消される。この場合開口部１２側に傾斜縁１３を形成してテープカセットＡの丸味に沿う表裏側面板１，３の形状にするのがよい。
【０００９】
なお、背面板２に対向してカセット挿入用の開口部１２を有する収納ケースが、表側面板１、背面板２及び裏側面板３を折曲線４，５で区画連設され、かつ各面板１，２，３の両端に折曲線６，７，８で表側面板フラップ９、背面板フラップ１０、裏側面板フラップ１１を連設して両側面板とする型抜きシートからなる組立凾形の直方体或いは立方体であって、前記背面板２と裏側面板３と、これら各面板２，３に連設されるフラップ１０，１１との型抜き交点１５を背面板２と裏側面板３との折曲線上５で内方にｘ寸法だけ喰い込んで位置したことで、各フラップ９，１０，１１内側から順次折り曲げ重合される裏側面板フラップ１１と背面板フラップ１０は折り曲げられ、さらに裏側面板３と背面板２との間の折曲線５で折曲げることにより、表側面板フラップ９の形状に沿った形状が形作られるようになっていて、展開状態下でＶ字溝であった部分は側面が触れる程度の隙間を形成することとなり、型抜き交点１５を折曲線５上で内方に喰い込んで位置（フラップ１０，１１との折曲線７，８よりｘ寸法だけ離れた深い位置）に形成してあるので、各面板を折り曲げた後の一方の角部となる部分が除かれて穴部１７となるようになり、包装フィルムの破損防止に寄与する。
【００１０】
さらに、前記収納ケースとしては、表側面板１と背面板２とこれら各面板１，２に連設される表側面板フラップ９及び背面板フラップ１０との型抜き交点１６を前記表側面板１と背面板２との折曲線４とｙ寸法間隔をあけて平行で表側面板１内に位置するフラップ端縁９１  上に設けることで、収納ケースの背面板２の他方の角部を除去した穴部１８となるように作用する。
特に、前記型抜き交点１６を表側面板１の内方位置にｚ寸法だけ喰い込んで設けることにより、大フラップ９の一部が削除されて短くなりフィルム包装後は、フラップ９と背面板２との角度は、段階的に接触することで丸味を持ったテープカセットＡの外形と同様の形状となって包装フィルムの破れを防止する。
【００１１】
この収納ケースをシートで組立凾形とするには、抜き刃のある抜き型を用い、内容物の形状から折り曲げの余裕、嵌合の状態を考慮しながらブランク展開寸法を割出し、そして開口部側の面については内容物がケースより突出する様に抜き刃を配置する。フラップ面においては表側面板１や裏側面板３よりも更に短くなる様に抜き刃を配置する。表側面板１や裏側面板３とフラップ部の段差は、表側面板１の筋押し線付近で内容物に対し突出しない様に抜き刃を配置する。そして裏側面板フラップ１１と背面板フラップ１０間のＶ字溝についてはＶ字の交点が折り曲げ様筋押し線の中央よりのブランクの内側になる様に配置する。この時型抜き交点１５、即ちＶ字溝交点が内側に寄り過ぎると、収納ケースとして組み立てられた際に大きな穴となり品位が悪くなるので考慮する。
また、このＶ字溝交点は通常抜き刃を折り曲げ配置するが、この場合、交点に向かう刃を突き合わせて配置すると最も角部の形状がきれいになる。また、裏側面板フラップ１１と表側面板フラップ９の間の型抜き交点１６の溝を形成する抜き刃も同様に突き合わせて配置する。このようにして完成した抜き型を用い、あとは５００μｍ程度の紙またはポリプロピレン、塩化ビニール、ポリエチレン、ポリエステルなどのプラスチックシートに適宜印刷加工を施しシート形状に合わせて抜き及び筋押し加工を施すことでブランクが完成する。かくして、ブランクは各部を直角に折り曲げ製凾する。製凾は専用の製凾用設備で行われる。製凾時のフラップの接合は製凾用設備によって分けられるが、一般には糊接着が行われ、プラスチックの場合、超音波接着、熱融着でも行われる。
【００１２】
なお、実施例では組立凾形のスリーブケースを示したが、射出成形、ブロー成形、真空成形等で直方体または立方体に形成した収納ケースでも適用できるが、背面板側の四隅は丸味をつけた角部或いは穴部に成形することが配慮される。
【００１３】
【発明の効果】
本発明は、表側面板、背面板、裏側面板、両側面板からなり背面板に対向してカセット挿入用の開口部を有する収納ケースにおいて、前記開口部端縁から背面板に至る前記表裏側面板の長さを収納物品より短くすると共に、前記開口部が、その両端縁を収納物品の外形Ｒ形状より内側に位置したことにより、収納ケースより内容物が飛び出ていることによって、内容物の丸味を持った角部の形状（射出成形によって製作された品物は通常、金型からの抜き適性及び手触り適性、機械適性等を考慮するため丸く製作されている）がそのまま利用でき、包装フィルムの破れ防止が容易であり、しかも収納ケースの開口部を内容物の丸み形状以上に短くしてあるので、フィルム包装した後のフィルムと接触する角度を大きく変更することができて角部がなく収納ケースの角部の尖りが軽減され、フィルム包装した後の流通段階での衝撃、振動によるフィルム包装の破れ現象が解消される。
また、背面板、裏側面板、背面板フラップ、裏側面板フラップが交わる型抜き交点が背面板と裏側面板との折曲線上で内方に喰い込んだ位置にあることで、裏側面板フラップと背面板フラップは折り曲げられ更に裏側面板と背面板間の筋押し線で折り曲げることにより、表側面板フラップ形状に沿った形状が形作られ、その時、ブランク状態ではＶ時溝は、側面が触れる程度の隙間となり、そのブランクでのＶ字溝の支点をフラップを折り曲げる筋押し線より深く形成すると、各面を折り曲げた後の角部となる部分が除かれるように作用し、さらに背面板と表側面板と背面板フラップ、表側面板フラップが交わる型抜き交点が表側面板内に設けられることで、表側面板フラップの一部が削除されて短くなり、フィルム包装後はフラップ面と背面との角部は段階的に接触することで、丸みを持った内容物と同様の形状となって包装フィルムの破れがなく安全に用いられるほか、収納ケースとしても手触り感触が軟らかく感じられ、親しみやすく、指を傷つけることもなく収納ケースとしての商品価値を高めることができる。
【図面の簡単な説明】
【図１】本発明の実施例を示し、（ａ）はその側面図、（ｂ）は平面図、（ｃ）は展開平面図である。
【図２】図１の一部の拡大図で、（ａ）はその平面図、（ｂ）は組立状態の一方の角部を示す側面図である。
【図３】図１の例の一使用状態の斜視図である。
【図４】従来例の組立凾形収納ケースを示し、（ａ）はその斜視図、（ｂ）は展開平面図である。
【符号の説明】
Ａ    テープカセット
１    表側面板
２    背面板
３    裏側面板
４，５，６，７，８    折曲線
９，１０，１１    フラップ
１２  開口部
１３  傾斜縁
１４  指差入用切欠
１５，１６  型抜き交点
１７，１８  穴部
【図１】
0003620555.tif 000002
【図２】
0003620555.tif 000003
【図３】
0003620555.tif 000004
【図４】
0003620555.tif 000005